(57)【要約】【課題】  天井裏等の上下方向に狭いスペースに容易に設置することが可能な排出空気処理装置を提供すること。【解決手段】  排出空気処理装置ＴＥは、箱体１、水噴霧ノズル１１、スクリーン部材１３、オゾンガス噴出ノズル１５を備える。水噴霧ノズル１１は、スクリーン部材１３に向けて水をミスト状に噴出する。水噴霧ノズル１１は、箱体１内における入口開口部３側に配置されると共に、箱体１の中心軸Ｌよりも上方に配置される。スクリーン部材１３は、箱体１の中心軸Ｌに直交する面に対し傾斜して、複数並設されており、水噴霧ノズル１１から噴出されたミスト状の水を所定の時間付着して滞留させ得ると共に、付着して滞留した水を通過させ得る構成となっている。オゾンガス噴出ノズル１５は、スクリーン部材１３を通過した排出空気に対しオゾンガスを噴出して混入し、箱体１内におけるスクリーン部材１３の側方に配設され、箱体１の中心軸Ｌよりも下方に配置される。【選択図】  図２
2005030718.tif 000002
【特許請求の範囲】
【請求項１】
排出空気に含まれる分散粒子を除去するための排出空気処理装置であって、
入口開口部及び出口開口部を有し、横置きされる箱体と、
前記箱体内における前記入口開口部側に配置され、前記入口開口部から前記箱体内に流入した前記排出空気を水と接触させることにより、当該排出空気から前記分散粒子を除去する除去手段と、
前記箱体内における前記除去手段の側方に配設され、前記除去手段からの排出空気に対してオゾンガスを混入して前記除去手段からの前記排出空気を脱臭する脱臭手段と、を備えたことを特徴とする排出空気処理装置。
【請求項２】
前記除去手段は、
水を供給する水供給手段と、
前記水供給手段から供給された前記水を所定の時間付着して滞留させ得るスクリーン部材と、を有しており、
前記水供給手段は、前記箱体の中心軸よりも上方に配置されていることを特徴とする請求項１に記載の排出空気処理装置。
【請求項３】
前記水供給手段は、前記水を前記スクリーン部材に向けてミスト状に噴出させる水噴霧ノズルを含むことを特徴とする請求項２に記載の排出空気処理装置。
【請求項４】
前記スクリーン部材は、前記箱体の前記中心軸に直交する面に対し傾斜して、複数並設されていることを特徴とする請求項２に記載の排出空気処理装置。
【請求項５】
前記脱臭手段は、オゾンガスを噴出するオゾンガス噴出手段を有しており、
前記オゾンガス噴出手段は、前記箱体の中心軸よりも下方に配置されていることを特徴とする請求項１に記載の排出空気処理装置。
【請求項６】
前記箱体の前記入口開口部側の端部及び前記出口開口部側の端部には、当該箱体を排気ダクトに取り付けるためのフランジ部が設けられていることを特徴とする請求項１に記載の排出空気処理装置。
【発明の詳細な説明】
【技術分野】
【０００１】
本発明は、排出空気に含まれる、油煙又は粉体等の分散粒子を除去するための排出空気処理装置に関する。
【背景技術】
【０００２】
この種の排出空気処理装置として、排気孔を通過する排気の吸引力によりバブリングされる水が上部に貯留される排気パネルと、水槽と、水槽内の水を排気パネルの上部に汲み上げるポンプとを備え、バブリングにより水と排気とを接触させて、排気に含まれる油脂成分を分離、除去するものが知られている（例えば、特許文献１参照。）。
【０００３】
しかしながら、上記特許文献１に記載された排出空気処理装置では、排気に含まれる油脂成分の除去は可能であるものの、排出空気の匂成分を除去して、脱臭することまでは困難であった。そこで、本出願人は、排出空気に含まれる分散粒子を除去すると共に、排出空気を脱臭することが可能な排出空気処理装置を提供することを目的として、排出空気を水と接触させることにより、排出空気から分散粒子を除去する除去手段と、除去手段の後段に配設され、除去手段からの排出空気に対してオゾンガスを混入して除去手段からの排出空気を脱臭する脱臭手段とを備えた排出空気処理装置を先に提案している（特許文献２参照。）。
【特許文献１】特開平１０−２１６４４７号公報
【特許文献２】特開２００２−２３９３３４号公報
【発明の開示】
【発明が解決しようとする課題】
【０００４】
ところで、排出空気処理装置は、通常、屋外や屋上に設置されるが、何らかの理由（装置の設置スペース、装置までのダクトの取り回し等）により屋外や屋上に排出空気処理装置を設置できないことがある。このため、排出空気処理装置を屋内、特に、天井裏といった上下方向に狭いスペースに設置したいという要求が新たに出てきた。
【０００５】
本発明は、上述の点に鑑みてなされたもので、天井裏等の上下方向に狭いスペースに容易に設置することが可能な排出空気処理装置を提供することを目的とする。
【課題を解決するための手段】
【０００６】
本発明に係る排出空気処理装置は、排出空気に含まれる分散粒子を除去するための排出空気処理装置であって、入口開口部及び出口開口部を有し、横置きされる箱体と、箱体内における入口開口部側に配置され、入口開口部から箱体内に流入した排出空気を水と接触させることにより、当該排出空気から分散粒子を除去する除去手段と、箱体内における除去手段の側方に配設され、除去手段からの排出空気に対してオゾンガスを混入して除去手段からの排出空気を脱臭する脱臭手段と、を備えたことを特徴としている。
【０００７】
本発明に係る排出空気処理装置では、除去手段により、排出空気が水に接触して、排出空気から分散粒子が除去される。そして、脱臭手段により、除去手段にて分散粒子がほぼ除去された排出空気に対してオゾンガスが混入され、排出空気に含まれる匂成分が分解されて脱臭される。排出空気に油煙又は粉体等の分散粒子が多量に含まれている場合、オゾンガスによる脱臭（匂成分の分解）が妨げられることになり、多量のオゾンガスを必要としたり、匂成分の分解にかかる時間が長くなって、排出空気を効率的に脱臭することが難しい。しかしながら、本発明においては、上述したように、除去手段にて分散粒子がほぼ除去された排出空気にオゾンガスを混入して脱臭するので、必要最小限とのオゾンガスにて効果的に匂成分を分解して脱臭することができる。これにより、排出空気に含まれる分散粒子を除去すると共に、排出空気を効果的に脱臭することができる。
【０００８】
また、本発明では、箱体が横置きされ、当該箱体における入口開口部側に除去手段が配置され、箱体内における除去手段の側方に脱臭手段が配置されるので、装置の上下方向の寸法が大きくなってしまうのが抑制されることとなり、天井裏といった上下方向に狭いスペースにも容易に設置することができる。
【０００９】
また、除去手段は、水を供給する水供給手段と、水供給手段から供給された水を所定の時間付着して滞留させ得るスクリーン部材と、を有しており、水供給手段は、箱体の中心軸よりも上方に配置されていることが好ましい。このように構成した場合、排出空気流の量又は速度等に拘わらず、スクリーン部材に対して適切且つ効果的に水を供給することができる。また、排出空気に含まれる分散粒子は、スクリーン部材に所定の時間滞留する水だけでなく、水供給手段から供給された水とも混じることになり、分散粒子を水と適切且つ確実に接触させることができる。これらの結果、分散粒子をより一層効果的に除去することができる。
【００１０】
また、水供給手段は、水をスクリーン部材に向けてミスト状に噴出させる水噴霧ノズルを含むことが好ましい。このように構成した場合、水噴霧手段から噴出されたミスト状の水とも混じることになり、分散粒子を水とより一層適切且つ確実に接触させることができる。
【００１１】
また、スクリーン部材は、箱体の中心軸に直交する面に対し傾斜して、複数並設されていることが好ましい。このように構成した場合、分散粒子と水との接触効率を向上することができる。また、スクリーン部材における保水容量が増えることとなり、水供給手段から供給された水が排出空気流に乗って、装置から排出されるのを抑制することができる。
【００１２】
また、脱臭手段は、オゾンガスを噴出するオゾンガス噴出手段を有しており、オゾンガス噴出手段は、箱体の中心軸よりも下方に配置されていることが好ましい。このように構成した場合、分散粒子が除去された排出空気とオゾンガスとを適切に混合させることができる。
【００１３】
また、箱体の入口開口部側の端部及び出口開口部側の端部には、当該箱体を排気ダクトに取り付けるためのフランジ部が設けられていることが好ましい。このように構成した場合、排気ダクトの途中部分に当該排出空気処理装置を設置する際においても、装置の排気ダクトへの取り付けを極めて容易に行うことができる。
【発明の効果】
【００１４】
本発明によれば、天井裏等の上下方向に狭いスペースに容易に設置することが可能な排出空気処理装置を提供することができる。
【発明を実施するための最良の形態】
【００１５】
本発明の実施形態に係る排出空気処理装置について図面を参照して説明する。本実施形態では、本発明を排気空気から主に油煙を除去する排出空気処理装置に適用した例を示す。
【００１６】
まず、図１に基づいて、本実施形態に係る排出空気処理システムＴＳを説明する。図１は、本実施形態に係る排出空気処理システムを示す構成図である。
【００１７】
排出空気処理システムＴＳは、調理器Ｃの上方に配置されたレンジフードＲＦ、当該レンジフードＲＦから室外まで伸びる排気ダクトＥＤを含んでいる。レンジフードＲＦは、グリスフィルタＧＦを有している。排気ダクトＥＤは、天井裏に配置されている。この排気ダクトＥＤの途中には、レンジフードＲＦ側から順に、ダンパＤＡ、ブロワＢＬ、排出空気処理装置ＴＥが設けられている。ブロワＢＬが作動すると、調理器Ｃから発生する油煙を含んだ空気は、レンジフードＲＦ（グリスフィルタＧＦ）、ダンパＤＡを通り、排出空気処理装置ＴＥに導かれ、当該排出空気処理装置ＴＥにて処理され、室外に排出されることとなる。
【００１８】
次に、図２〜図７に基づいて、排出空気処理装置ＴＥを説明する。図２は、本実施形態に係る排出空気処理装置の構成を説明するための概略斜視図である。図３は、本実施形態に係る排出空気処理装置を示す側面図であり、図４は、本実施形態に係る排出空気処理装置を出口開口部側から見たときの平面図であり、図５は、本実施形態に係る排出空気処理装置を示す底面図である。図６は、図４におけるＶＩ−ＶＩ線に沿った断面図であり、図７は、図４におけるＶＩＩ−ＶＩＩ線に沿った断面図である。
【００１９】
排出空気処理装置ＴＥは、入口開口部３及び出口開口部５を有する略直方体状の箱体１を備えており、横長とされた状態で排気ダクトＥＤの途中に設置されている。箱体１は、図１に示されるように、ブラケット２等を用いて建物の構造体に吊り下げられており、横置きとされている。
【００２０】
箱体１の入口開口部３及び出口開口部５の端部には、フランジ部７が設けられている。箱体１は、フランジ部７が排気ダクトＥＤに設けられたフランジ部にボルト等（図示せず）で固定されることにより、排気ダクトＥＤに取り付けられることとなる。
【００２１】
排出空気処理装置ＴＥは、水噴霧ノズル１１、スクリーン部材１３、オゾンガス噴出ノズル１５、フラップ１７等を備えている。これらの水噴霧ノズル１１、スクリーン部材１３、オゾンガス噴出ノズル１５及びフラップ１７は、図２に示されるように、箱体１内において、入口開口部３側から出口開口部５に向かって、水噴霧ノズル１１、スクリーン部材１３、オゾンガス噴出ノズル１５、フラップ１７の順に配設されている。
【００２２】
水噴霧ノズル１１は、給水管２１の先端部に取り付けられており、スクリーン部材１３に向けて水をミスト状に噴出する。水噴霧ノズル１１は、箱体１内における入口開口部３側に配置されると共に、箱体１の中心軸Ｌよりも上方に配置されている。また、水噴霧ノズル１１は、スクリーン部材１３に対向して配置されている。給水管２１は、電磁弁、レギュレータ（いずれも図示せず）等を介して既存の水道設備に接続されており、水噴霧ノズル１１は水道水を噴出させる。電磁弁は、水噴霧ノズル１１から水を噴出させるか否かを制御するためのものである。レギュレータは、給水管２１内の水圧、すなわち水噴霧ノズル１１における噴霧圧力を所望の値に調整するためのものである。水噴霧ノズル１１は、スクリーン部材１３の略全面に対して水を供給するようにミスト状の水を噴出することが好ましく、本実施形態においては、複数（２個）設けられている。ここで、水噴霧ノズル１１は、水供給手段として機能する。
【００２３】
スクリーン部材１３は、箱体１の中心軸Ｌに直交する面に対し傾斜して、複数並設されており、水噴霧ノズル１１から噴出されたミスト状の水を所定の時間付着して滞留させ得ると共に、付着して滞留した水を通過させ得る構成となっている。スクリーン部材１３には、麻や椰子の実などの天然の長繊維からなるマット部材、金属製（たとえば、ステンレススチール製）の細目網を複数枚積層したもの等を用いることができる。なお、本実施形態においては、スクリーン部材１３は、スクリーン部材１３を通過する排出空気の流れ方向に対しても傾斜して配設されている。
【００２４】
スクリーン部材１３は、カートリッジ３１に保持されている。カートリッジ３１は、図８〜図１０に示されるように、矩形の枠形状を呈しており、上枠部分３２と、当該上枠部分３２に対向した下枠部分３３と、上枠部分３２と下枠部分３３とを接続する一対の側枠部分３４とを含んでいる。また、カートリッジ３１は、スクリーン部材１３を押さえるためのワイヤ３５も含んでいる。ワイヤ３５は、一端が上枠部分３２に取り付けられ、他端が下枠部分３３に取り付けられている。また、一方の側枠部分３４には、把持部３６が設けられている。上枠部分３２及び下枠部分３３には、複数の水抜き穴３７が形成されている。
【００２５】
箱体１の底部には、スクリーン部材１３を保持したカートリッジ３１を、箱体１の中心軸Ｌに直交する面に対し傾斜して複数並設した状態で載置するための載置部４１が設けられている。載置部４１は、図１１及び図１２に示されるように、カートリッジ３１を載置する面が階段状とされている。載置部４１には、複数の水抜き穴４３が形成されている。なお、スクリーン部材１３を保持したカートリッジ３１を載置部４１に載置する場合、下枠部分３３を下側として載置してもよく、また、上枠部分３２を下側として載置してもよい。
【００２６】
箱体１の底部における入口開口部３側には、水受け部５１が設けられている。水受け部５１は、箱体１の底部に形成された底面開口部５５に対応して配置されており、本実施形態においては、スクリーン部材１３（載置部４１）の下方に位置している。水受け部５１の底部は、傾斜して形成されている。水受け部５１の底部の傾斜した側の部分には、当該水受け部５１から水を排出するための排出口部５３が設けられている。ここで、水受け部５１及び排出口部５３は、箱体１から水を排出するための水排出部として機能する。なお、水受け部５１は、溶接等により、箱体１の外側底面に取り付けて固定されている。なお、水受け部５１を箱体１に対して着脱可能に取り付けるようにしてもよい。
【００２７】
箱体１の側面におけるスクリーン部材１３（カートリッジ３１）に対応する位置には、図１３及び図１４に示されるように、スクリーン部材１３（カートリッジ３１）を箱体１内から取り出す及び箱体１内に装備するための側面開口部６１が形成されている。側面開口部６１の外側には、当該側面開口部６１を開閉するための主扉６３が設けられている。主扉６３は、ヒンジ部を介し、箱体１に対して揺動可能に取り付けられている。側面開口部６１の縁部と主扉６３と間は、パッキン６５でシールされている。これにより、排出空気あるいは水の一部が、箱体１内から側面開口部６１を通して箱体１の外部に流出しない状態とされる。
【００２８】
主扉６３の内側には、側面開口部６１の途中部分を開閉するための副扉６７が配置されている。側面開口部６１の途中部分と副扉６７と間は、副扉６７に両面テープ等により取り付けられたパッキン６９でシールされている。これにより、側面開口部６１は、主扉６３と副扉６７とで構成される二重扉により開閉されることとなる。副扉６７で側面開口部６１の途中部分を閉じることにより、箱体１の内圧が主扉６３に直接作用するのを抑制でき、側面開口部６１から排出空気あるいは水が漏れてしまうのを確実に防ぐことができる。副扉６７は、側面開口部６１の途中部分に設けられたフランジ部６２にビス止めされることにより、箱体１（側面開口部６１の途中部分）取り付けられている。
【００２９】
オゾンガス噴出ノズル１５は、オゾンガスを発生するオゾンガス発生部（図示せず）に接続されており、スクリーン部材１３を通過した排出空気に対しオゾンガスを噴出して混入するものである。オゾンガス噴出ノズル１５は、箱体１内におけるスクリーン部材１３の側方に配設され、箱体１の中心軸Ｌよりも下方に配置されている。また、オゾンガス噴出ノズル１５は、箱体１内の排出空気の流れ方向に見て、スクリーン部材１３の後段、すなわち、スクリーン部材１３とフラップ１７との間に位置している。オゾンガス発生部としては、エアポンプ、オゾナイザ及び高圧電源等を備えた既存のオゾンガス発生装置を用いることができる。ここで、オゾンガス噴出ノズル１５は、脱臭手段として機能する。
【００３０】
フラップ１７は、箱体の上部から当該箱体１内の排出空気の流れ方向に沿って前方斜め下方に伸びるように設けられている。これにより、オゾンガス及び排出空気が流れることになる通路が下向きに蛇行して形成され、その長さを長くなる。このため、オゾンガスと排出空気とが混ざり合う時間が長くなり、より多くの匂成分をオゾンガスにて分解することができる。また、フラップ１７により、オゾンガス及び排出空気が流れていくことになる部分の通路断面積が徐々に小さくなり、オゾンガスと排出空気とが混じり易くなる。これにより、排出空気の脱臭（匂成分の分解）を促進して、分解されずに残る匂成分の量を低減することができる。
【００３１】
箱体１の底部は、出口開口部５側から入口開口部３側に向かって下方に傾斜している。本実施形態においては、箱体１の底部は、上下方向に所定の間隔を有して配置された複数（２枚）の板部材７１，７３を含んでいる。なお、フラップ１７及び板部材７１，７３は、溶接等により、箱体１の内側側面に取り付けて固定されている。
【００３２】
板部材７１は、出口開口部５から底面開口部５５近傍まで伸びて配置されている。板部材７１は、出口開口部５側から第１の角度で下方に傾斜する第１の部分７１ａと、当該第１の部分７１ａから連続し、第１の角度より小さく第１の角度で下方に傾斜する第２の部分７１ｂとを含んでいる。
【００３３】
板部材７１の第１の部分７１ａの傾斜方向は、フラップ１７の傾斜方向と交差（本実施形態においては、略直交）している。これにより、板部材７１の第１の部分７１ａは、フラップ１７と協働して、オゾンガス及び排出空気が流れることになる通路を更に蛇行させている。
【００３４】
板部材７３は、板部材７１の第２の部分７１ｂの上方に、当該第２の部分７１ｂと平行に配置されており、板部材７３の入口開口部３側の端部は、底面開口部５５内まで伸びている。
【００３５】
箱体１の底部における出口開口部５側の位置には、板部材７１の下側に溜まった水を排出するためのドレンポート７５が設けられている。
【００３６】
続いて、排出空気処理装置ＴＥの動作について説明する。なお、排出空気処理装置ＴＥの運転／停止（オゾンガス発生部のオン／オフ、電磁弁の開作動／閉作動）は、ブロワＢＬの運転／停止に同期させることが好ましい。
【００３７】
調理中に発生した油煙を含む排出空気は、ブロワＢＬにより排気ダクトＥＤ内を通って排出空気処理装置ＴＥ内に送られる。排出空気に含まれる油煙は、箱体１の入口開口部３側において水噴霧ノズル１１からミスト状に噴出された水と混じり、油煙の油脂成分がミスト状の水に接触し冷却されて凝縮する。このように油煙の油脂成分が水と接触して凝縮することにより、油煙は、水噴霧ノズル１１から噴出された水に付着した液体となり、噴出された水と混合してスクリーン部材１３上に液膜を形成する。なお、水噴霧ノズル１１からスクリーン部材１３の略全面に対して水を供給するようにミスト状の水を噴出させた場合、スクリーン部材１３の略全面に液膜が形成されることになる。これにより、スクリーン部材１３の略全面を、油煙と水とを接触させる部分として有効に利用することができる。
【００３８】
水噴霧ノズル１１から噴出された水により液化されなかった油煙は、スクリーン部材１３を通過する際に、その油脂成分がスクリーン部材１３上に形成された液膜に接触し、付着する。スクリーン部材１３上の液膜は、時間の経過とともに、水滴となってスクリーン部材１３を下方に通過する。スクリーン部材１３が傾斜して配置されていることにより、液膜がスクリーン部材１３上に形成され易くなるとともに、スクリーン部材１３の面積が大きくなり、油煙と水とを接触させる部分が拡大することになる。スクリーン部材１３を下方に通過した水は、カートリッジ３１の上枠部分３２あるいは下枠部分３３に形成された水抜き穴３７、載置部４１に形成された水抜き穴４３を通って、水受け部５１に至る。
【００３９】
排気空気の流れに乗ってスクリーン部材１３を通過した水は、その自重により、あるいは、排気空気の流れ自体がフラップ１７により下向きに蛇行させられることにより、あるいは、フラップ１７に付着し水滴となることにより、板部材７１の第１の部分７１ａあるいは板部材７３に落ちる。板部材７１の第１の部分７１ａに落ちた水は、板部材７１の第２の部分７１ｂ上を傾斜方向に流れて、水受け部５１に至る。このとき、第２の部分７１ｂの上方に板部材７３が存在するので、板部材７１の第２の部分７１ｂ上を流れる水が傾斜方向（流れる方向）とは逆向きの力を排気空気の流れから受けることはない。
【００４０】
また、板部材７３に落ちた水は、当該板部材７３上を傾斜方向に流れて水受け部５１に至る。このとき、板部材７３上を流れる水が、傾斜方向（流れる方向）とは逆向きの力を排気空気の流れから受けて、出口開口部５方向に流れたとしても、板部材７３の出口開口部５側の端部から、板部材７１（第１の部分７１ａあるいは第２の部分７１ｂ）上に落ちて、板部材７１の第２の部分７１ｂ上を傾斜方向に流れて水受け部５１に至ることとなる。
【００４１】
水受け部５１内の水は、排出口部５３から箱体１の外に排出される。箱体１から排出された水（排出空気から除去された油脂成分を含む）は、オイルセパレータ等を用いて水に含まれる油脂成分を分離、除去した後、排水することが好ましい。
【００４２】
以上のように、排出空気に含まれる油煙は、水噴霧ノズル１１から噴出された水、及び、スクリーン部材１３上の液膜と接触して凝縮し、これらに付着することにより、排出空気から殆ど除去されることになる。
【００４３】
スクリーン部材１３を通過した排出空気は、箱体１内のスクリーン部材１３の側方の空間において、オゾンガス噴出ノズル１５から噴出されたオゾンガスが混入される。このオゾンガスの混入により、排出空気に含まれる匂成分が酸化分解されて、排出空気が脱臭されることになる。このとき、上述したようにフラップ１７及び板部材７１の第１の部分７１ａが傾斜して配設されているので、オゾンガス及び排出空気が流れていくことになる部分の通路断面積が徐々に小さくなり、オゾンガスと排出空気とが混じり易くなる。これにより、排出空気の脱臭（匂成分の分解）を促進して、分解されずに残る匂成分の量を低減することができる。更に、フラップ１７及び板部材７１の第１の部分７１ａは、その傾斜方向が互いに交差していることから、オゾンガス及び排出空気が流れることになる通路が蛇行して形成され、その長さを長くなる。このため、オゾンガスと排出空気とが混ざり合う時間が長くなり、より多くの匂成分をオゾンガスにて分解することができる。
【００４４】
このように、水との接触により油煙が除去され、オゾンガスにより匂成分が分解された排出空気は、箱体１の出口開口部５から排気ダクトＥＤを通って、処理空気として大気中に放出されることになる。
【００４５】
上述したように、本実施形態においては、水噴霧ノズル１１及びスクリーン部材１３により、排出空気が水に接触して、排出空気から油煙がほぼ除去される。そして、水噴霧ノズル１１及びスクリーン部材１３の側方に配置されたオゾンガス噴出ノズル１５により、油煙がほぼ除去された排出空気に対してオゾンガスが混入され、排出空気に含まれる匂成分が分解されて脱臭される。
【００４６】
また、本実施形態においては、油煙がほぼ除去された排出空気にオゾンガスを混入して脱臭するので、必要最小限とのオゾンガスにて効果的に匂成分を分解して脱臭することができる。これにより、排出空気に含まれる油煙を除去すると共に、排出空気を効果的に脱臭することができる。
【００４７】
また、本実施形態においては、箱体１が横置きされ、当該箱体１における入口開口部３側に水噴霧ノズル１１及びスクリーン部材１３が配置され、箱体１内における水噴霧ノズル１１及びスクリーン部材１３の側方にオゾンガス噴出ノズル１５が配置されるので、装置ＴＥの上下方向の寸法が大きくなってしまうのが抑制されることとなり、当該排出空気処理装置ＴＥを天井裏といった上下方向に狭いスペースにも容易に設置することができる。
【００４８】
また、本実施形態において、排出空気処理装置ＴＥは水噴霧ノズル１１とスクリーン部材１３とを有しており、水噴霧ノズル１１は箱体１の中心軸Ｌよりも上方に配置されていること。これにより、排出空気流の量又は速度等に拘わらず、スクリーン部材１３に対して適切且つ効果的に水を供給することができる。また、排出空気に含まれる油煙は、スクリーン部材１３に所定の時間滞留する水だけでなく、水噴霧ノズル１１から供給される水とも混じることになり、油煙を水と適切且つ確実に接触させることができる。これらの結果、油煙をより一層効果的に除去することができる。
【００４９】
また、本実施形態においては、水噴霧ノズル１１から水をスクリーン部材１３に向けてミスト状に噴出させている。これにより、水噴霧ノズル１１から噴出されたミスト状の水とも混じることになり、油煙を水とより一層適切且つ確実に接触させることができる。
【００５０】
また、本実施形態において、スクリーン部材１３は、箱体１の中心軸Ｌに直交する面に対し傾斜して、複数並設されている。これにより、油煙と水との接触効率を向上することができる。また、スクリーン部材１３における保水容量が増えることとなり、水噴霧ノズル１１から供給された水が排出空気流に乗って、装置ＴＥから排出されるのを抑制することができる。
【００５１】
また、本実施形態において、オゾンガス噴出ノズル１５は、箱体１の中心軸Ｌよりも下方に配置されている。これにより、油煙がほぼ除去された排出空気とオゾンガスとを適切に混合させることができる。特に、フラップ１７により、スクリーン部材１３を通過した排気空気の流れが下方に蛇行されられるので、箱体１の中心軸Ｌよりも下方に配置されていることが好ましい。
【００５２】
また、本実施形態においては、箱体１の入口開口部３側の端部及び出口開口部５側の端部には、当該箱体１を排気ダクトＥＤに取り付けるためのフランジ部７が設けられている。これにより、排気ダクトＥＤの途中部分に当該排出空気処理装置ＴＥを設置する際においても、装置ＴＥの排気ダクトＥＤへの取り付けを極めて容易に行うことができる。
【００５３】
本発明は、前述した実施形態に限定されるものではなく、スクリーン部材１３、水噴霧ノズル１１、オゾンガス噴出ノズル１５、フラップ１７等の数も上述した実施形態に限られるものではない。また、出口開口部５に、箱体１内の排出空気を積極的に排出するための送風機を設けてもよい。
【００５４】
また、本実施形態においては、本発明を主に油煙を排気空気から除去する排出空気処理装置ＴＥに適用した例を示しているが、本発明は、これに限られることなく、油煙以外の分散粒子、たとえばカレー粉等の粉体を除去する排出空気処理装置に適用することができる。また、本実施形態においては、水噴霧ノズルから噴出する水として水道水を用いているが、これに限られることなく、排出空気に含まれる分散粒子に応じて、当該分散粒子を化学的に浄化処理するための薬品を混合した水を用いるようにしてもよい。
【図面の簡単な説明】
【００５５】
【図１】本実施形態に係る排出空気処理システムを示す構成図である。
【図２】本実施形態に係る排出空気処理装置の構成を説明するための概略斜視図である。
【図３】本実施形態に係る排出空気処理装置を示す側面図である。
【図４】本実施形態に係る排出空気処理装置を出口開口部側から見たときの平面図である。
【図５】本実施形態に係る排出空気処理装置を示す底面図である。
【図６】図４におけるＶＩ−ＶＩ線に沿った概略断面図である。
【図７】図４におけるＶＩＩ−ＶＩＩ線に沿った概略断面図である。
【図８】本実施形態に係る排出空気処理装置に含まれる、カートリッジの平面図である。
【図９】本実施形態に係る排出空気処理装置に含まれる、カートリッジの底面図である。
【図１０】本実施形態に係る排出空気処理装置に含まれる、カートリッジの側面図である。
【図１１】本実施形態に係る排出空気処理装置に含まれる、載置部の平面図である。
【図１２】本実施形態に係る排出空気処理装置に含まれる、載置部の側面図である。
【図１３】本実施形態に係る排出空気処理装置に含まれる、箱体の側面開口部近傍を拡大した図である。
【図１４】図１３におけるＸＩＶ−ＸＩＶ線に沿った概略断面図である。
【符号の説明】
【００５６】
１…箱体、３…入口開口部、５…出口開口部、７…フランジ部、１１…水噴霧ノズル、１３…スクリーン部材、１５…オゾンガス噴出ノズル、ＥＤ…排気ダクト、Ｌ…箱体の中心軸、ＴＥ…排出空気処理装置、ＴＳ…排出空気処理システム。
【図１】
2005030718.tif 000003
【図２】
2005030718.tif 000004
【図３】
2005030718.tif 000005
【図４】
2005030718.tif 000006
【図５】
2005030718.tif 000007
【図６】
2005030718.tif 000008
【図７】
2005030718.tif 000009
【図８】
2005030718.tif 000010
【図９】
2005030718.tif 000011
【図１０】
2005030718.tif 000012
【図１１】
2005030718.tif 000013
【図１２】
2005030718.tif 000014
【図１３】
2005030718.tif 000015
【図１４】
2005030718.tif 000016